(57)【要約】【課題】            点滴筒が傾いた場合や、チューブ内の流速が遅い場合は、浮き体に設けた閉塞部がチューブ内に入らず、栓の役目を果たさない場合があった。【解決手段】          一端もしくは両端がチューブと接続され、輸液の滴下・貯留を行う点滴筒において、点滴筒内には、輸液の終了とともに輸液の流れを停止させて下流への空気の流入を防止する空気流入防止手段が設けられてなり、該空気流入防止手段は、輸液よりも比重が小さい浮き部と、点滴筒と接続されたチューブの接続部を閉塞可能な閉塞部と、常にチューブ内に上下動可能に配置され、閉塞部を前記チューブに誘導可能なガイド部を有することを特徴とする点滴筒。【選択図】          図１
2009254407.tif 000002
【特許請求の範囲】
【請求項１】
一端もしくは両端がチューブと接続され、輸液の滴下・貯留を行う点滴筒において、
点滴筒内には、輸液の終了とともに輸液の流れを停止させて下流への空気の流入を防止する空気流入防止手段が設けられてなり、
該空気流入防止手段は、輸液よりも比重が小さい浮き部と、
点滴筒と接続されたチューブの接続部を閉塞可能な閉塞部と、
常にチューブ内に上下動可能に配置され、閉塞部を前記チューブに誘導可能なガイド部を有することを特徴とする点滴筒。
【請求項２】
前記ガイド部が、輸液よりも比重が大きい材料で形成されたおもりである事を特徴とする請求項１に記載の点滴筒。
【請求項３】
前記浮き部と前記閉塞部が第１連結部により結合されていることを特徴とする請求項１もしくは２に記載の点滴筒。
【請求項４】
前記第１連結部の全長が点滴筒の全長の０．１〜０．３倍であることを特徴とする請求項３に記載の点滴筒。
【請求項５】
前記おもりと前記閉塞部が第２連結部により結合され、第２連結部の少なくとも一部は常にチューブ内に配置されていることを特徴とする請求項１もしくは２に記載の点滴筒。
【請求項６】
前記第２連結部の全長が点滴筒の全長の０．５〜１．５倍であることを特徴とする請求項５に記載の点滴筒。
【請求項７】
前記第２連結部が糸状体であることを特徴とする請求項５もしくは６に記載の点滴筒。
【請求項８】
請求項１から７に記載の点滴筒を有する輸液セット。
【発明の詳細な説明】
【技術分野】
【０００１】
この発明は医療器具に関するものであり、特に静脈を経由して血液や栄養液などを被治療者に供給するための点滴器具に関するものである。
【背景技術】
【０００２】
人体に投薬や栄養供給する方法のひとつとして、血液、栄養液、電解質液などを静脈を経由して被治療者に供給する、一般に点滴という方法が採用されている。この点滴は、正式には経静脈補液投与あるいは輸液と呼び、人体に必要な液体を数百ミリリットルから数リットルという単位で被治療者に与えるための方法であって、一度に大量の液体を与えるのを避けるため、長時間かけて少しずつ与える方法である。以下、この療法自体あるいは使用する液体を「輸液」という。
【０００３】
ここで、輸液終了後、点滴筒内の液がなくなり下部のチューブに空気が入ると、続けて輸液を行うために下部チューブの空気を抜くという面倒な操作が必要になる。このため、点滴筒内に浮き体を入れて、点滴筒終了時には浮き体が下に沈み、点滴筒より下に空気が入らないように栓をするという従来技術がある（特許文献１参照）。
【０００４】
【特許文献１】特開２０００−３２５４７５号公報
【発明の開示】
【発明が解決しようとする課題】
【０００５】
しかしながら、点滴筒が傾いた場合や、チューブ内の流速が遅い場合は、浮き体に設けた閉塞部がチューブ内に入らず、栓の役目を果たさない場合があった。
【０００６】
本発明では、そのような問題をなくし、輸液終了時には、どのような状況であっても点滴筒内に設けた閉塞部が確実に点滴筒からチューブに至る流路を閉塞する点滴筒を提供する。
【課題を解決するための手段】
【０００７】
一端もしくは両端がチューブと接続され、輸液の滴下・貯留を行う点滴筒において、
点滴筒内には、輸液の終了とともに輸液の流れを停止させて下流への空気の流入を防止する空気流入防止手段が設けられてなり、
該空気流入防止手段は、輸液よりも比重が小さい浮き部と、
点滴筒と接続されたチューブの接続部を閉塞可能な閉塞部と、
常にチューブ内に上下動可能に配置され、閉塞部を前記チューブに誘導可能なガイド部を有することを特徴とする点滴筒。
【発明の効果】
【０００８】
本発明により、浮き部に設けた閉塞部がチューブ内に入らず、栓の役目を果たさないということがなくなった。
【発明を実施するための最良の形態】
【０００９】
本発明の点滴筒の好ましい一例では、
一端もしくは両端がチューブと接続され、輸液の滴下・貯留を行う点滴筒において、
点滴筒内には、輸液の終了とともに輸液の流れを停止させて下流への空気の流入を防止する空気流入防止手段が設けられてなり、
該空気流入防止手段は、輸液よりも比重が小さい浮き部と、
点滴筒と接続されたチューブの一端を閉塞可能な閉塞部と、
チューブ内に配置され、閉塞部を前記チューブに誘導可能なガイド部を有することを特徴とする点滴筒としたため、浮き部に設けた閉塞部がチューブ内に入らず、栓の役目を果たさないということがなくなった。
【００１０】
本発明の点滴筒の好ましい一例では、前記ガイド部をおもりにした。ここでいうおもりとは、輸液より比較的比重の大きい材料からなるものであり、輸液の比重は概ね    〜    であることから、おもりの比重が１．３以上であることが好ましい。このようにすることによって、低流量であっても点滴筒内に液体がなくなると同時に、おもりの重さにより閉塞部が点滴筒内の流路を確実に閉塞する。なお、おもりはチューブ内の液の流れを阻害しないような細長い形状のものが好ましい。特におもりの断面積の一番大きい部分が、チューブ内の断面積の半分以下であると尚良い。
【００１１】
本発明の点滴筒の好ましい一例では、前記浮き部と前記閉塞部が第１連結部により結合されている。そのため、閉塞部と浮き部が、第1連結部を介して離れており、より確実に栓を出来る。
【００１２】
本発明の点滴筒の好ましい一例では、前記おもりと前記閉塞部が第２連結部により結合されている。そのため、閉塞部とおもりが、第２連結部を介して離れており、どのような状態であっても、輸液終了時には確実に栓を出来る。
【００１３】
本発明の点滴筒の好ましい一例では、第２連結部が糸状体により構成されている。そのため、チューブを曲げた場合でもチューブ内にある第２連結部が追随して曲がり、取り扱いが容易である。
【００１４】
以下、図に示す実施例に基づきこの発明を詳細に説明する。図１において１は輸液を人体に送るためのチューブであり、チューブ１の途中には、チューブ１よりも径が大きな合成樹脂製の点滴筒２が設けてある。つまり輸液ボトルなどに連結するチューブ１ａが点滴筒２の上端に開口しており、その開口は点滴筒２内に輸液を滴下させる滴下口４となる。チューブ１ａの他端には輸液ボトルなどの口部に刺す注射針状の瓶針（図示せず）が取り付けてある。点滴筒２下端にはチューブ１ｂが連結されており、その連結部が、輸液を送り出す供給口５となっている。チューブ１ｂの他端には人体の皮下に射す注射針が取りつけられるよう接続口（図示せず）がある。
【００１５】
点滴筒２の中には、輸液よりも比重が小さい浮き部３１と、第１連結部３４により、浮き部３１に接続された閉塞部３２、第２連結部３５により閉塞部３２と接続された輸液よりも比重の大きいおもり３３を有する空気流入防止具３が上下動可能に収納されている。また、第２連結部の少なくとも一部とおもりは常にチューブ１ｂ内に配置されていることが好ましい。このようにすることで、輸液終了時は点滴筒がどのような向きになっても、閉塞部３２に結合された第２連結部とおもりによって、閉塞部３２が必ず供給口５に導かれる。
【００１６】
図1の実施例では、硬質ゴムまたは合成樹脂で形成され内部が空洞となった球形の浮き部３１、チューブ内径よりも大径部を有する、円すい形状の閉塞部３２、輸液よりも比重の大きいおもりが、それぞれ第１連結部３４、第２連結部３５により接続されている。閉塞部の材質は、比重が輸液と同等かそれより大きいことが好ましく、ポリカーボネート、ポリプロピレン、ポリエチレン、ポリスチレン、ポリアセタール、塩化ビニル樹脂などが好ましく使用される。また、おもりの材質は輸液より比較的比重が大きい比重１．３以上のものが好ましく、金属、セラミック、ポリカーボネート、フッ素樹脂、ポリアセタール、ポリエチレンテレフタレート、ポリブチレンテレフタレート、ポリスルホン、塩化ビニル樹脂などが好適である。これらの中でもとくに好ましいのは、比重が２．０より大きい金属とセラミックである。
第１連結部３４、第２連結部３５について、本実施例ではほころびの生じない柔軟な縫合糸を用いたが、チューブ内径よりも径が小さく流速を著しく落とさないものであればなんでもよく、硬質のポリカーボネートやポリプロピレンなどのモノフィラメントでもよい。ただし、第２連結部３５の一部は柔軟なチューブ１ｂ内に入っているため、第２連結部３５が硬質だと、チューブを曲げた場合に第２連結部３５が折れてしまい、閉塞部とおもり３３が分離してしまう恐れがあるので、硬質材料で形成する場合は径を細くして柔軟性を持たせたものが好ましい。
【００１７】
また、各連結部と、浮き部３１、閉塞部３２、おもり３３（以下各部材）の接続は、各部材の一部に各連結部を結びつけることにより行っているが、全ての部材をポリプロピレンなど同部材で作成するときは、一体成形で作成することも可能である。ただしこの場合は、ポリプロピレンは比重が小さいので、浮き部〜おもり（ガイド部）までの全長を点滴筒の全長より長くして、おもり（ガイド部）がチューブ１ｂ内に常にとどまるようにするのが好ましい。なお、各連結部を結び付けやすいように、各部材に環状部３６を設けてもよい。ここで、各連結部は糸状体のものが好ましいが、ほつれが生じず柔らかい縫合糸であれば尚良い。
また、点滴筒２の供給口５側の底面８は円弧状曲面となっている。
【００１８】
以上のような点滴器具による輸液手順を述べると、チューブ１ｂに設けたクランプを閉じ、チューブ１ａの一端に設けた瓶針を高い位置に吊るしたボトル（図示せず）の口部に刺す。その後、プライミングを行う。まず、点滴筒を上下逆にしてクランプを閉塞する。そして、点滴筒内に一定量の輸液を吸入した後、点滴筒の位置を正常状態に戻し、クランプを開いてチューブ１ｂ先端の注射針まで輸液がたまったら、クランプ６を閉じ、プライミングを終了する。次に、注射針を患者に穿刺し、クランプ６を開放する。
【００１９】
浮き部３１はその浮力によって点滴筒２内に浮き、輸液は下の供給口５から少しずつチューブ１ｂへ送り出されて、静脈に刺された注射針から静脈内に流れ込む。ボトル内の輸液が無くなり、点滴筒２内に溜まった輸液も流れ落ちて点滴筒２内の液面が下がると、それに浮いていた浮き部３１も下降する。やがて閉塞部３２は点滴筒の底面に入って供給口５を閉塞することになる。点滴筒の全長は特に規定はないものの、液の滴数を容易に確認できるように、一般的には５０ｍｍ程度のものを採用している。
【００２０】
ここで、浮き部３１と閉塞部３２を接続する第１連結部３４の全長は点滴筒の全長の０．１〜０．３倍であることが好ましい。第１連結部３４の全長が点滴筒の全長の０．３倍より大きいと、点滴筒内の液面がかなり上のほうに位置しないと、閉塞部３２によって流路が閉塞されてしまう。そのため、滴数の確認が困難になってしまう。
【００２１】
また、第１連結部３４の全長が点滴筒の全長の０．１倍より小さいと、閉塞部３２と浮き部３１の間が十分に離れていないため、点滴筒内の液面がかなり下のほうに位置していても、流路が閉塞されない。よって、輸液終了時の流速が速い場合に、空気がチューブ１ｂ内に混入してしまう恐れがある。
【００２２】
閉塞部３２が供給口５を閉塞後は、それ以上輸液は流れず点滴が自動的に終了し、チューブ１ｂの中に空気が入り込まない。すなわち、輸液終了に近づくにつれて点滴筒内の液面が下がり、それにしたがって浮き部の位置が下がると同時に閉塞部も下がって供給口５に達し、輸液終了時には閉塞部３２が供給口５を完全に閉塞するからである。
【００２３】
ここで、閉塞部とおもりを接続する第２連結部３５は点滴筒の全長の０．５倍から〜１．５倍であることが好ましい。第２連結部３５の全長が点滴筒の全長の０．５倍より小さいと、点滴筒が少し傾いただけでおもりがチューブ１ｂから外れ、閉塞部３２が供給口５を閉塞しない恐れがある。
【００２４】
また、第２連結部３５の全長が点滴筒の全長の１．５倍より大きいと、チューブが曲がっている場合は、曲がった部分におもりが接する可能性が高くなり、その部分におもりが配置される可能性が高くなる。その場合、おもり３３が閉塞部３２を引っ張る力がなくなり、輸液終了時に点滴筒内の空気がチューブ１ｂに入る可能性が高い。
【００２５】
１回目の輸液終了後、点滴器具をそのまま使用してボトルのみ交換して、２回目の輸液を開始する場合を説明する。１回目の輸液終了後にクランプ６を閉じ、２つ目のボトルに瓶針を刺す。その後、点滴筒を数回押圧し、チューブ1aと点滴筒２内の空気をボトルに送り込み、点滴筒の復元力でボトル内の輸液をチューブ1aと点滴筒２内に吸い込む。この作業を点滴筒内の液面が上昇し、閉塞部３２が浮き上がるまで続ける。閉塞部３２が浮き上がると、クランプ６を開放し、２回目の輸液を開始する。本発明の点滴筒のついた輸液セットでは、輸液終了時にチューブ１ｂ内は液で満たされているので、人体に注射針を刺したままで上記の操作を行っても問題ないが、空気流入防止具がない輸液セットや空気流入防止具が正常に作動しなかった場合は、輸液終了時にチューブ１ｂ内に空気が入っているので、空気を人体に送らないようにチューブ１ｂから抜く面倒な操作をするか、輸液セットを新しいものに交換する必要がある。このように、本発明の点滴筒のついた輸液セットを使用すれば、輸液ボトルの交換をスムーズに行うことができるので、医療現場で好ましく使用される。また、輸液ボトルが空になると血管に空気が入るのではないかという恐怖感を患者に与えることがない。
【産業上の利用可能性】
【００２６】
本発明の点滴筒は、輸液セットが傾いた場合でも、空気流入防止具に閉塞部が供給口５に入らず、栓の役目を果たさないことを防止するおもりを設けているため、輸液や輸血などの処置に用いるのに好適である。
【図面の簡単な説明】
【００２７】
【図１】図１は、この発明を実施した点滴器具の全体図
【符号の説明】
【００２８】
１          チューブ
２          点滴筒
３          空気流入防止具
３１        浮き部
３２        閉塞部
３３        おもり（ガイド部）
３４        第１連結部
３５        第２連結部
３６        環状部
４          滴下口
５          供給口
６          クランプ
【図１】
2009254407.tif 000003